(57)【要約】【課題】専門知識を持つ作業者でなくても、メニューからの実行によって、火災受信機の基板や主要部品の状態を診断することができ、したがって、メンテナンス性が高い火災受信機を提供することを目的とする。【解決手段】火災受信機を自己診断する指令を入力する入力手段と、上記火災受信機の自己診断を行う制御手段と、上記火災受信機の自己診断の結果を表示する表示手段とを有することを特徴とする火災受信機である。また、上記自己診断は、上記火災受信機における各基板の電圧を診断する基板電圧診断、マイコンを搭載していない基板が上記火災受信機に接続されているかどうかを診断する基板接続診断、主制御ユニットにおける履歴リストのメモリ使用量を診断する履歴リスト使用量診断、ＣＲＣ値を診断するＣＲＣ値診断のうちの少なくとも１つの診断である。【選択図】図１
2007286774.tif 000002
【特許請求の範囲】
【請求項１】
火災受信機を自己診断する指令を入力する入力手段と；
上記火災受信機の自己診断を行う制御手段と；
上記火災受信機の自己診断の結果を表示する表示手段と；
を有することを特徴とする火災受信機。
【請求項２】
請求項１において、
上記自己診断は、上記火災受信機における各基板の電圧を診断する基板電圧診断、マイコンを搭載していない基板が上記火災受信機に接続されているかどうかを診断する基板接続診断、主制御ユニットにおける履歴リストのメモリ使用量を診断する履歴リスト使用量診断、ＣＲＣ値を診断するＣＲＣ値診断のうちの少なくとも１つの診断であることを特徴とする火災受信機。
【発明の詳細な説明】
【技術分野】
【０００１】
本発明は、火災受信機に関する。
【背景技術】
【０００２】
従来の防災受信機として、その内部に、伝送制御部や制御部等が設けられ、これらは基板として内部配置され、電源部から電源供給されている防災受信機が知られている（たとえば、特許文献１参照）。
【０００３】
また、上記従来例において、その記憶部には、各防災端末から取得された各種のデータ等が格納されている。
【０００４】
そして、これら基板や部品の状態をチェックする場合、防災受信機の機能試験を、従来、点検者が個別に実行している。
【特許文献１】特開２００５−０３２０２５公報
【発明の開示】
【発明が解決しようとする課題】
【０００５】
つまり、火災受信機の基板や部品が正常であるかどうかを診断する場合、従来例では、メンテナンス時に、専門知識を持つ作業者が、テスター等の計測器を使用して診断し、測定する必要がある。
【０００６】
したがって、上記従来例では、火災受信機の機能試験を実行することが煩雑であるという問題がある。
【０００７】
本発明は、専門知識を持つ作業者でなくても、メニューからの実行によって、火災受信機の基板や主要部品の状態を診断することができ、したがって、メンテナンス性が高い火災受信機を提供することを目的とする。
【課題を解決するための手段】
【０００８】
本発明は、火災受信機を自己診断する指令を入力する入力手段と、上記火災受信機の自己診断を行う制御手段と、上記火災受信機の自己診断の結果を表示する表示手段とを有することを特徴とする火災受信機である。
【発明の効果】
【０００９】
本発明によれば、専門知識を持つ作業者でなくても、メニューからの実行によって、火災受信機の基板や主要部品の状態を診断することができ、したがって、メンテナンス性が高いという効果を奏する。
【発明を実施するための最良の形態】
【００１０】
発明を実施するための最良の形態は、以下の実施例である。
【実施例１】
【００１１】
図１は、本発明の実施例１である火災受信機ＲＥ１を含む火災報知設備ＦＡ１のシステム構成を示すブロック図である。
【００１２】
火災報知設備ＦＡ１は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１３】
また、火災報知設備ＦＡ１は、メッセージ表示機Ｄ１、Ｄ２、〜、Ｄ３１と、ディスプレイシステムＤＰ１、および各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００１４】
差動式スポット型感知器ＳＥ１は、いわゆる熱感知器であって、火災による熱（温度上昇）を検出して火災と判別されるときに、火災信号を送信する。光電式スポット型感知器ＳＥ２は、いわゆる煙感知器であって、火災による煙を検出して火災と判別されるときに、火災信号を送信する。熱アナログ感知器ＳＥ３は、熱感知器の一種であって、火災による熱を検出するために、周囲温度のアナログ値を送信する。
【００１５】
光電式アナログ感知器ＳＥ４は、煙感知器の一種であって、煙のアナログ値を送信する。アドレッサブル発信機ＳＥ５は、いわゆる火災発信機であって、火災の発見者が手動操作する押しボタンを備え、火災信号を送信する。
【００１６】
ショートサーキットアイソレータＳＣＩは、後段の伝送線の短絡発生時に、後段の伝送線を切り離す装置であって、通常、信号伝送の必要はないが、火災受信機ＲＥ１からの復旧信号を受信し、復旧するものもある。ここでは、後段の伝送線の短絡解消時に、回復信号を送信する。
【００１７】
防排煙制御用中継器Ｃ１は、火災受信機ＲＥ１からの制御信号を受信して、接続される防排煙機器ＤＳ１を制御する。火災監視用中継器Ｃ２、Ｃ３は、信号線を介して一般型感知器または火災発信機が接続され、それらからの火災信号（スイッチング動作）を受信して、火災信号を送信する。火災監視用中継器Ｃ２は、自動試験機能付火災感知器を接続することができる。
【００１８】
地区音響制御用中継器Ｃ４は、火災受信機ＲＥ１からの制御信号を受信して、接続されている地区ベルＢＬを鳴動させる。ガス漏れ検知用中継器Ｃ５は、信号線を介してガス漏れ検知器ＳＥ９が接続され、信号（スイッチング動作）を受信して、ガス漏れ信号を送信する。
【００１９】
防排煙制御用中継器Ｃ６は、防排煙制御用中継器Ｃ１と同様である。中継器Ｃ７は、従来の中継器である。火災監視用中継器Ｃ８は、火災監視用中継器Ｃ３と同様である。
【００２０】
図２は、火災受信機ＲＥ１を示すブロック図である。
【００２１】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００２２】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、２０、Ｂ３〜Ｂｎに電源供給する基板であり、また、ＯＰＯ基板Ｂ１、ＯＰＩＮ基板Ｂ２に対して、移報を制御する基板である。ＭＣＵ基板２０は、主制御ユニット基板であり、表示部・メイン処理用の基板であり、メモリカードＣ１が挿入、接続される。ＯＰＯ基板Ｂ１は、出力用基板である。ＯＰＩＮ基板Ｂ２は、入力用基板である。
【００２３】
ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００２４】
インバータＩＮＶ１は、ＬＣＤ３０のバックライトを駆動する電源を制御するものである。
【００２５】
タッチパネルＴＰとして作用するＬＣＤ３０は、入力および表示手段の例である。
【００２６】
ＣＴＵ基板Ｂ６〜Ｂｎは、端末と接続する伝送基板であり、２系統分の伝送線を制御する。
【００２７】
ＡＣ／ＤＣ電源ＡＣ／ＤＣは、商用交流電源ＡＣ１００Ｖを所定の直流電圧、ＤＣ２４Ｖの電源電圧に変換してＰＳＵ基板１０に出力するものである。予備電源ＢＴとしてのバッテリは、常時、ＰＳＵ基板１０を介してＡＣ１００Ｖから、トランス、充電回路を介して充電され、ＡＣ１００Ｖの停電時に、ＡＣ／ＤＣ電源ＡＣ／ＤＣの代わりに、直流電圧ＤＣ２４ＶをＰＳＵ基板１０に供給する。
【００２８】
なお、図２に示すように、ＰＳＵ基板１０の電源部（ＡＣ／ＤＣ電源ＡＣ／ＤＣおよび予備電源ＢＴ）からの電源電圧ＤＣ２４Ｖは、電源線を介して、各基板１０、２０、Ｂ３〜Ｂｎに電源供給される。
【００２９】
ここで、ＭＣＵ基板２０、ＮＩＵ基板Ｂ５、ＣＴＵ基板Ｂ６〜Ｂｎは、電源部（不図示）が設けられ、ＰＳＵ基板１０からの電源電圧ＤＣ２４Ｖは、各電源部に電源供給され、各電源部が必要な電源電圧（ＤＣ２４Ｖ、ＤＣ５Ｖ等）を生成し、内部回路等へ電源供給する。
【００３０】
また、ＰＳＵ基板１０、ＭＣＵ基板２０、ＮＩＵ基板Ｂ５、ＣＴＵ基板Ｂ６〜Ｂｎは、上記電源部の他に、Ａ／Ｄ変換部、ＲＯＭ、ＲＡＭを内部に有するマイコン（ＣＰＵ）が搭載されている。
【００３１】
そのため、ＰＳＵ基板１０、ＭＣＵ基板２０、ＮＩＵ基板Ｂ５、ＣＴＵ基板Ｂ６〜Ｂｎは、各電源部から供給される必要な電源電圧（ＤＣ２４Ｖ、ＤＣ５Ｖ、等）を、既知の抵抗分割回路等を介して、各マイコンに取り込んで、自己の電源電圧値を計測してＲＡＭに格納することができる。
【００３２】
ここで、ＰＳＵ基板１０の電源部は、電源電圧ＤＣ２４Ｖから、プリンタＰＲ１の電源電圧ＤＣ５Ｖを生成し、プリンタＰＲ１に供給し、このプリンタＰＲ１への電源電圧値をも、上記と同様な構成でマイコンに取込み計測し、ＲＡＭに格納する。
【００３３】
また、ＭＣＵ基板２０も同様に、電源電圧ＤＣ２４Ｖから、ＬＣＤ３０の電源電圧ＤＣ５Ｖを生成し、ＬＣＤ３０に供給し、このＬＣＤ３０への電源電圧値をも、上記と同様な構成でマイコンに取込み計測し、ＲＡＭに格納する。
【００３４】
なお、ＬＣＤ３０は、自己診断入力のための操作部（タッチパネルＴＰ）を有し、つまり、ＬＣＤ３０は、火災受信機を自己診断する指令を入力する入力手段の例である。また、ＬＣＤ３０は、火災受信機ＲＥ１の自己診断の結果を表示する表示手段の例である。
【００３５】
ＭＣＵ基板２０は、火災受信機の自己診断を行う制御手段の例である。また、上記「自己診断」は、火災受信機における各基板の電圧を診断する基板電圧診断、マイコンを搭載していない基板（ＯＰＯ基板Ｂ１、ＯＰＩＮ基板Ｂ２、ＯＰＰＳ基板Ｂ３・ＯＰＰＳ基板Ｂ４）が火災受信機ＲＥ１に接続されているかどうかを診断する基板接続診断、主制御ユニットにおける履歴リストのメモリ使用量を診断する履歴リスト使用量診断、ＣＲＣ値を診断するＣＲＣ値診断のうちの少なくとも１つの診断である。
【００３６】
次に、実施例１の動作について説明する。
【００３７】
図３は、実施例１において自己診断の動作を示すフローチャートであり、火災受信機ＲＥ１の制御部としてのＭＣＵ基板２０が実行する動作を示すフローチャートである。
【００３８】
Ｓ１で、ＭＣＵ基板２０から、図２のシリアル通信線を介して、信号伝送により、各基板１０、Ｂ６〜Ｂｎに自己診断を要求し、Ｓ２で、各ＣＴＵ基板Ｂ６〜Ｂｎの各マイコンが上記要求を受信して自己の電源電圧計測（ＤＣ２４Ｖ）を開始する。たとえば、ＬＣＤ３０において、メニューエリアの試験ボタンを操作し、試験メニューを表示させて、「自己診断」ボタン（不図示）を操作することによって、自己診断機能が開始される。
【００３９】
Ｓ３で、ＭＣＵ基板２０のマイコンが上記要求を受信して自己の電源電圧計測（ＤＣ２４Ｖ、およびＬＣＤ３０のためのＤＣ５Ｖ）を開始し、Ｓ４で、ＰＳＵ基板１０のマイコンが、上記要求を受信し、自己の電源電圧計測（ＤＣ２４Ｖ、およびプリンタＰＲ１のためのＤＣ５Ｖ）を開始し、Ｓ５で、各ＣＴＵ基板Ｂ６〜Ｂｎの各マイコンが２４Ｖ電圧の診断結果（電圧値）をＲＡＭに格納する。Ｓ６で、ＭＣＵ基板２０のマイコンが、２４Ｖ電圧、５Ｖ電圧の診断結果（電圧値）をＲＡＭに格納し、Ｓ７で、ＰＳＵ基板１０のマイコンが、２４Ｖ電圧、５Ｖ電圧の診断結果（電圧値）をＲＡＭに格納する。
【００４０】
Ｓ８で、ＭＣＵ基板２０のマイコンが、メモリカードＭＣ１内の履歴リストのメモリ量をチェックし、Ｓ１０で上記メモリ量の診断結果（使用率）をＲＡＭに格納する。
【００４１】
図４は、実施例１において、ＰＳＵ基板１０と各種ＯＰ基板との接続関係を示す図である。
【００４２】
ＰＳＵ基板１０は、マイコンとしてのＣＰＵ１１と、コネクタ１３、１４、１５、１６とを有する。ＰＳＵ基板１０（ＣＰＵ１１）は、マイコンを搭載していない各種ＯＰ基板Ｂ１〜Ｂ４と接続され、ＯＰ基板Ｂ１〜Ｂ４に対応する各接続チェック線を介して接続されている。
【００４３】
各接続チェック線は、ＣＰＵ１１に接続された一端（ポート）と接地された他端とが、ＯＰ基板Ｂ１〜Ｂ４が接続されると、導通（クローズ）するように配線接続されている。そして、一端側（ポート側）に抵抗を介して定電圧源が接続されているので、ＣＰＵ１１は、対応するＯＰ基板Ｂ１〜Ｂ４が接続されていれば、各ポートからＬＯＷが入力され、未接続ならばＨＩ入力され、これによって、ＯＰ基板Ｂ１〜Ｂ４の接続、未接続を確認することができる。
【００４４】
なお、図４に示すように、ＰＳＵ基板１０のＣＰＵ１１は、電源線を介してＯＰＰＳ１基板Ｂ３と接続されている。また、図４には示していないが、ＰＳＵ基板１０のＣＰＵ１１は、図２に示すように、電源線を介してＯＰＰＳ２基板Ｂ４と接続され、入力線を介して、ＯＰＩＮ基板Ｂ２と接続され、出力線を介して、ＯＰＯ基板Ｂ１と接続されている。
【００４５】
上記構成によって、Ｓ９で、ＰＳＵ基板１０のＣＰＵ１１が、各種ＯＰ基板の接続状態をチェックし、つまり、ＣＰＵ１１のポート入力がＬｏｗなら接続、Ｈｉなら未接続として、各種ＯＰ基板に対してチェックし、Ｓ１１で、ＰＳＵ基板１０のＣＰＵ１１が、各種ＯＰ基板の接続状態の診断結果（接続、未接続）をＲＡＭに格納する。
【００４６】
Ｓ１２で、ＭＣＵ基板２０が、各基板１０、Ｂ６〜Ｂｎの自己診断結果を、図２のシリアル通信線を介して、信号伝送によって要求し、取得し、Ｓ１３で、各基板１０、Ｂ６〜Ｂｎからの定期取得ＣＲＣ値をチェックする。Ｓ１４で、診断結果が正常かどうかを判断する。なお、基板の電源電圧を診断する場合、電源電圧ＤＣ２４Ｖの診断は、たとえばＤＣ２２Ｖ〜ＤＣ２６Ｖの範囲内を正常とし、その範囲外を異常とする。また、電源電圧ＤＣ５Ｖの診断は、たとえばＤＣ４．５Ｖ〜ＤＣ５．５Ｖの範囲内を正常とし、その範囲外を異常とする。
【００４７】
また、基板接続診断として、接続を正常とし、未接続を異常とする。
【００４８】
また、履歴リスト使用量診断として、使用率８０％未満を、空きあり（正常）とし、使用率８０％以上を、空きなし（異常）とする。
【００４９】
また、ＣＲＣ値チェック診断として、前回の定期取得のＣＲＣ値と同じならば正常、相違するならば異常とする。
【００５０】
なお、基板の電源電圧診断、基板接続診断、および履歴リスト使用量診断の判断基準は、ＲＯＭまたはメモリカードＭＣ１内に格納されている。また、ＣＲＣ値チェック診断の判断基準は、ＲＡＭに格納されている。
【００５１】
そして、診断結果が正しければ、Ｓ１５で、診断結果を黒字で表示する。診断結果が異常であれば、Ｓ１６で、診断結果を赤字で表示する（図６においては、赤字で表示する部分を太字で示してある）。
【００５２】
そして、Ｓ１７で、診断結果を、プリンタＰＲ１から印字し、メモリカードＭＣ１内の履歴リストに記録する。
【００５３】
図６は、Ｓ１５、Ｓ１６における上記診断結果のＬＣＤ３０への表示例を示す図である。
【００５４】
このように、ＭＣＵ基板２０は、各基板１０、Ｂ６〜Ｂｎおよび自己によって行われた自己診断結果の正常、異常を判断し、ＬＣＤ３０上に表示する。この場合、ＣＴＵ基板Ｂ６の定期取得ＣＲＣ値のみが異常で、他は正常である。
【００５５】
基板の電源電圧診断によって、各基板１０、２０、Ｂ６〜Ｂｎに必要な電源電圧が供給されているか、または各基板１０、２０、Ｂ６〜Ｂｎの電源部が正常であるか、つまり、各基板１０、２０、Ｂ６〜Ｂｎが正常な動作を行えるかどうかを確認することができる。
【００５６】
また、基板接続診断によって、接続されている基板Ｂ１〜Ｂ４の一覧を知ることができる。つまり、接続されるべき基板Ｂ１〜Ｂ４が脱落しているかどうかを確認することができる。
【００５７】
また、履歴リスト使用量診断によって、履歴リストの使用率を知ることができ、使用率１００％になる前に他の記憶媒体へのデータ保存を確実に行うことができる。
【００５８】
また、ＣＲＣ値チェックによって、各基板のマイコン動作（ＲＯＭのプログラム）が正常かどうかを判断することができる。つまり、上記基板の電源電圧診断、基板接続診断および履歴リスト使用量診断の結果の信頼性を確認することができ、二重チェックとして機能することができる。
【００５９】
上記の自己診断を行うことによって、火災受信機ＲＥ１に不具合が発生した場合に、不具合の原因を調べる上で、故障原因の究明を容易にすることができる。また、現状見た目が正常であり、問題となる異常が報知されていない場合でも、不良箇所を確認することができる。
【００６０】
なお、上記実施例における上記フローチャートにおいて、ＮＩＵ基板Ｂ５については自己診断を行わないが、他のマイコンを搭載する基板と同様に自己診断を行うことができる。
【００６１】
上記実施例において、自己診断結果として、各種診断結果（基板の電源電圧値等）と正常または異常を表示するようにしたが、各種診断結果のみを表示するようにしてもよい。
【００６２】
また、ＭＣＵ基板２０が正常または異常の判断を一括して行うようにしたが、ＰＳＵ基板１０、ＭＣＵ基板２０、ＣＴＵ基板Ｂ６〜Ｂｎの各基板が、自己で行われる各種診断の判断基準をＲＯＭ等に格納し、正常または異常の判断を行い、その判断結果をＭＣＵ基板２０に返送するようにしてもよい。
【００６３】
また、上記実施例では、入力手段からの操作入力によって自己診断を行うが、定期的に自動で行うようにしてもよい。
【００６４】
図５は、分散システムを示す図である。
【００６５】
なお、自己診断機能は、図５に示す分散システムにも適用することができる。
【００６６】
火災受信機ＲＥ１は、メニューからの実行で、自己および信号伝送により主中継器１〜６４に上記と同様である次の自己診断を行わせ、自己および信号伝送により主中継器１〜６４から診断結果を取得し、この診断結果を表示し、印字する。
【００６７】
基板が各電源の電圧値を収集し、５秒間の平均値を測定する。つまり、ＭＣＵ基板２０がＤＣ５Ｖ電源、２４Ｖ電源と、ＰＳＵ基板１０が、ＤＣ２４Ｖ電源と、プリンタ電源（ＤＣ５Ｖ電源）とを診断し、ＮＩＵ基板Ｂ５が、ＤＣ２４Ｖ電源と、ＣＴＵ基板Ｂ６〜ＢｎがＤＣ２４Ｖ電源とを診断する。
【００６８】
そして、ＰＳＵ基板１０が次の基板との接続状態を診断する。つまり、ＰＳＵ基板１０とＯＰＰＳ基板Ｂ３との間における接続状態を診断し、ＰＳＵ基板１０とＯＰＰＳ基板Ｂ４との間における接続状態を診断する。また、ＰＳＵ基板１０とＯＰＩＮ基板Ｂ２との間における接続状態を診断し、ＰＳＵ基板１０とＯＰＯ基板Ｂ１との間における接続状態を診断する。
【００６９】
さらに、履歴リストを記憶する場合に使用したメモリカードＭＣ１のメモリ量を診断する。
【００７０】
上記実施例では、火災受信機ＲＥ１のハード的な診断項目を個々に行う必要がなく、一括して実行することができ、この診断結果が、ＬＣＤ（表示手段）３０に個々に表示される。
【００７１】
したがって、上記実施例によれば、専門知識を持つ作業者でなくても、メニューからの実行によって、火災受信機ＲＥ１の基板や主要部品の状態を診断することができ、よって、メンテナンス性が高い。
【図面の簡単な説明】
【００７２】
【図１】本発明の実施例１である火災受信機ＲＥ１を含む火災報知設備ＦＡ１のシステム構成を示すブロック図である。
【図２】火災受信機ＲＥ１を示すブロック図である。
【図３】実施例１において自己診断の動作を示すフローチャートであり、火災受信機ＲＥ１の制御部としてのＭＣＵ基板２０が実行する動作を示すフローチャートである。
【図４】実施例１において、ＰＳＵ基板１０と各種ＯＰ基板との接続関係を示す図である。
【図５】分散システムを示す図である。
【図６】自己診断結果の表示例を示す図である。
【符号の説明】
【００７３】
ＦＡ１…火災報知設備、
ＳＥ１…差動式スポット型感知器、
ＳＥ２…光電式スポット型感知器、
ＳＥ３…熱アナログ感知器、
ＳＥ４…光電式アナログ感知器、
ＳＣ１…ショートサーキットアイソレータ、
Ｃ１…防排煙制御用中継器、
Ｃ２、Ｃ３、Ｃ８…火災監視用中継器、
Ｃ４…地区音響制御用中継器、
Ｃ５…ガス漏れ検知用中継器、
Ｃ６…防排煙制御用中継器、
Ｃ７…中継器、
ＲＥ１…火災受信機、
１０…ＰＳＵ基板、
Ｂ１…ＯＰＯ基板、
Ｂ２…ＯＰＩＮ基板、
Ｂ３、Ｂ４…ＯＰＰＳ基板、
Ｂ５…ＮＩＵ基板、
２０…ＭＣＵ基板、
Ｂ６〜Ｂｎ…ＣＴＵ基板。
【図１】
2007286774.tif 000003
【図２】
2007286774.tif 000004
【図３】
2007286774.tif 000005
【図４】
2007286774.tif 000006
【図５】
2007286774.tif 000007
【図６】
2007286774.tif 000008